(57)【要約】【課題】自然な姿勢で頭髪のパネルを切断した場合に、１本１本の頭髪の切断面が頭髪の延長方向に対して非直角になるような構成の頭髪用鋏を開発する。この際、全体の基本構成は、理美容師の手になじみやすいように、従来の頭髪用鋏と余り変わりのないようなものとする。【解決手段】頭髪用鋏の柄の開閉動作が行われる柄部開閉面と刃の開閉動作が行われる刃部開閉面との狭い方の交差角度が、２°〜１５°未満の範囲内、さらには１５°以上〜３０°未満の範囲内、さらには３０°以上〜５０°の範囲内となるように柄部と刃部が捩れた状態にて構成されている頭髪用鋏を提供する。【選択図】        図１
2007236856.tif 000002
【特許請求の範囲】
【請求項１】
頭髪用挟の、手に把持する部分を柄部とし、刃を有し頭髪を切断する部分を刃部とし、柄部を構成する２本の柄の開閉動作が行われる平面を柄部開閉面とし、刃部を構成する２本の刃の開閉動作が行われる平面を刃部開閉面とした場合に、柄部開閉面と刃部開閉面との交差角度が非直角となるように柄部と刃部が捩れた状態にて構成されていることを特徴とする頭髪用挟。
【請求項２】
頭髪用挟の、手に把持する部分を柄部とし、刃を有し頭髪を切断する部分を刃部とし、柄部を構成する２本の柄の開閉動作が行われる平面を柄部開閉面とし、刃部を構成する２本の刃の開閉動作が行われる平面を刃部開閉面とした場合に、柄部開閉面と刃部開閉面との交差角度のうち狭い方の交差角度が、２°〜１５°未満の範囲内となるように柄部と刃部が捩れた状態にて構成されていることを特徴とする頭髪用挟。
【請求項３】
頭髪用挟の、手に把持する部分を柄部とし、刃を有し頭髪を切断する部分を刃部とし、柄部を構成する２本の柄の開閉動作が行われる平面を柄部開閉面とし、刃部を構成する２本の刃の開閉動作が行われる平面を刃部開閉面とした場合に、柄部開閉面と刃部開閉面との交差角度のうち狭い方の交差角度が、１５°以上〜３０°未満の範囲内となるように柄部と刃部が捩れた状態にて構成されていることを特徴とする頭髪用挟。
【請求項４】
頭髪用挟の、手に把持する部分を柄部とし、刃を有し頭髪を切断する部分を刃部とし、柄部を構成する２本の柄の開閉動作が行われる平面を柄部開閉面とし、刃部を構成する２本の刃の開閉動作が行われる平面を刃部開閉面とした場合に、柄部開閉面と刃部開閉面との交差角度のうち狭い方の交差角度が、３０°以上〜５０°の範囲内となるように柄部と刃部が捩れた状態にて構成されていることを特徴とする頭髪用挟。
【発明の詳細な説明】
【技術分野】
【０００１】
本発明は、頭髪用挟に関するものであり、さらに詳しくは、頭髪用挟の、手に把持する部分を柄部とし、刃を有し頭髪を切断する部分を刃部とし、柄部を構成する２本の柄の開閉動作が行われる平面を柄部開閉面とし、刃部を構成する２本の刃の開閉動作が行われる平面を刃部開閉面とした場合に、柄部開閉面と刃部開閉面との交差角度が非直角となるように柄部と刃部が捩れた状態にて構成されていることを特徴とする頭髪用挟に関するものである。
【０００２】
さらには柄部開閉面と刃部開閉面との交差角度のうち狭い方の交差角度が、２°〜１５°未満の範囲内となるように柄部と刃部が捩れた状態にて構成されていることを特徴とする頭髪用挟に関するものであり、さらには、柄部開閉面と刃部開閉面との交差角度のうち狭い方の交差角度が、１５°以上〜３０°未満の範囲内となるように柄部と刃部が捩れた状態にて構成されていることを特徴とする頭髪用挟に関するものであり、さらには、柄部開閉面と刃部開閉面との交差角度のうち狭い方の交差角度が、３０°以上〜５０°の範囲内となるように柄部と刃部が捩れた状態にて構成されていることを特徴とする頭髪用挟に関するものである。
【背景技術】
【０００３】
従来の頭髪用挟は、例えば図１１ａ〜図１２ｃに示すようなものである。従来の頭髪用鋏ＳＣはステンレス製で、手に把持する柄部Ｓ１、刃を有し頭髪を切断する刃部Ｓ２、そして枢軸Ｓ３から構成されており、紙切用等に用いる所謂「洋挟」の構成と基本的に同一の構成である。ただ、プロフェッショナルの理美容師が用いる頭髪用挟は、刃先の切れ味が紙切用等に用いる挟に比べてはるかに良好であり、また柄部Ｓ１が、被術者の頭髪を切断する際に、施術者の指を掛けやすいように独特の形状に構成されている点に特色がある。また、ここに示す頭髪用鋏ＳＣは右利き用であって、左利き用の頭髪用挟（図示せず）は、すべての構成が頭髪用鋏ＳＣと左右対称となる。
【０００４】
なお、この明細書にては、頭髪用挟を使用する者を施術者、頭髪用挟によって頭髪の切断を受ける者を被術者と呼称する。理美容術においては、施術者と被術者は別人の場合が圧倒的に多いが、同一人物であっても無論差し支えはない。また、図１１ａを正面図とし、図１２ａを平面図、図１２ｂを左側面図とする。このようにする理由は、施術者が頭髪用鋏ＳＣを用いる際には、施術者の目から見て頭髪用鋏ＳＣが図１１ａに示す状態が略正面になるように使用されるのが通常の使用状態だからである。
【０００５】
頭髪用鋏ＳＣの柄部Ｓ１は、柄Ｓ１１と柄Ｓ１２から構成されており、柄Ｓ１１の端部にはリングｒ１が柄Ｓ１１と一体に、柄Ｓ１２の端部にはリングｒ２が柄Ｓ１２と一体に、夫々形成されている。また、リングｒ１の右端部には曲線状の指掛けｆがリングｒ１と一体に突設され、リングｒ１の左方の柄Ｓ１１の上面には凹部ｄ１、ｄ２が形成されている。また、リングｒ１の下面には凸部ｔ１が、リングｒ２の上面には凸部ｔ２が夫々形成され、凸部ｔ２の上面には軟質樹脂等からなる弾性体ａが固着されている。凸部ｔ１と弾性体ａは、頭髪用鋏ＳＣが閉じた状態（図１１ａ参照）にて、当接するように構成されている。
【０００６】
頭髪用鋏ＳＣの刃部Ｓ２は、刃Ｓ２１と刃Ｓ２２から構成されており、刃Ｓ２１の上面には刃先ｂ１が、刃Ｓ２２の下面には刃先ｂ２が、夫々形成されている（図１１ｂ参照）。柄Ｓ１１と刃Ｓ２１は一体に形成されて頭髪用鋏ＳＣの前部パーツｆｐをなし、柄Ｓ１２と刃Ｓ２２は一体に形成されて頭髪用鋏ＳＣの後部パーツｒｐをなしており、前部パーツｆｐと後部パーツｒｐが略中央部で枢軸Ｓ３により開閉自在に枢設されて頭髪用鋏ＳＣが構成されている。
【０００７】
従来の頭髪用鋏ＳＣは凡そ上記のような構成であるが、次に、頭髪用鋏ＳＣの開閉作用を見ると、次のとおりである。頭髪用鋏ＳＣは、図１１ｂに示すように、枢軸Ｓ３を中心として、柄部Ｓ１と刃部Ｓ２が同期して開閉作用を行う。すなわち、柄部Ｓ１を開けば刃部Ｓ２が開き、柄部Ｓ１を閉じれば刃部Ｓ２も閉じる。この点は、通常の洋挟（図示せず）と全く同様である。図１１ｂにては、柄部Ｓ１の開閉運動の方向をｘ１にて、刃部Ｓ２の開閉運動の方向をｘ２にて、夫々示している。
【０００８】
今、柄部Ｓ１の開閉運動の方向ｘ１が属する平面を柄部開閉面ｐ１、刃部Ｓ２の開閉運動の方向ｘ２が属する平面を刃部開閉面ｐ２とすると、図１１ｂ、図１２ａ、図１２ｂ、図１２ｃに示すように、柄部開閉面ｐ１と刃部開閉面ｐ２は重なる。すなわち、柄部Ｓ１と刃部Ｓ２は同一平面上にて開閉運動を行う。この点は、通常の洋挟（図示せず）の構成と全く同一である。すなわち、平面図（図１２ａ参照）で見ると、前部パーツｆｐは、指掛けｆがやや前方に反っている以外は直線状に形成されており、後部パーツｒｐも直線状に形成されていて、どちらも直線状の前部パーツｆｐと後部パーツｒｐが枢軸Ｓ３で枢設されて頭髪用鋏ＳＣが構成されている結果として、必然的に柄部Ｓ１と刃部Ｓ２は同一平面上にて開閉運動を行う構成となる。
【０００９】
通常の洋鋏（図示せず）は、前部パーツが１枚の金属板から、後部パーツも１枚の金属板から、夫々形成されて枢軸にて枢設されるので、この製作工程上、柄部と刃部は必然的に同一平面上にて開閉運動を行う構成となり、また、この構成を変化させる特段の理由も見当たらないので、これがごく普通の構成として古くから定着している。頭髪用鋏ＳＣにおいてもごく自然にこの構成は受け継がれ、柄部Ｓ１と刃部Ｓ２が同一平面上にて開閉運動を行う構成が当たり前のものとして踏襲されてきたのが現状である。
【００１０】
図１２ａにては、前部パーツｆｐの右端部において、指掛けｆがやや前方に湾曲する形に構成されているが、これは、後に使用状態にて述べるように、指掛けｆは右手の小指を掛ける部位として構成されている（図１３ｂ参照）ところから、小指が掛けやすいように湾曲させてあるだけで、柄部Ｓ１と刃部Ｓ２が同一平面上にて開閉運動を行うという構成には全く変わりはない。下記特許文献１、２に記載されている発明、考案は、右手の小指を掛ける指掛けのみならず、リング部分の柄部に対する角度も変化させるという技術内容の開示を含むものであるが、しかしながら柄部と刃部が同一平面上にて開閉運動を行うという構成は踏襲されており、この点では、古来からの洋鋏の伝統的な構成を一歩も出るものではない。
【特許文献１】特開２００４‐１１３５３９号公報
【特許文献２】登録実用新案第３０４０２７４号公報
【発明の開示】
【発明が解決しようとする課題】
【００１１】
従来の頭髪用鋏ＳＣの構成は大略上記のとおりであるが、以下には、この従来の頭髪用鋏ＳＣが実際の理美容の現場にてどのように用いられているかを述べ、さらにそこにどのような問題点が生じているかということに言及する。実際の理美容の現場にて従来の頭髪用鋏ＳＣが用いられている状態の１例を図１３ａに示す。図１３ａにて、ＡＣは頭髪用鋏ＳＣを用いる施術者であり、ＰＡは頭髪用鋏ＳＣにて頭髪の切断を受ける被術者である。施術者ＡＣが被術者ＰＡの頭髪を切断する方法は多種多様であるが、図１３ａに示す方法は、それらのうち、ごく一般的に用いられる方法を示す。
【００１２】
施術者ＡＣは右手に頭髪用鋏ＳＣを把持し、左手にて被術者ＰＡの頭髪の一部を採り、これを左手の人差し指と中指の間に挟んで平板状の頭髪の束とする（図１３ｂ参照）。理美容界では通常、この平板状の頭髪の束を「パネル」と称するが、図１３ａ以下の図では、この「パネル」を符号Ｐにて表している。パネルＰは、頭髪用鋏ＳＣの１、２回の開閉にて切断できる位の量とされるのが普通で、図１３ｂに示すように、左手の中指の腹の部分に頭髪用鋏ＳＣの刃部Ｓ１の下端部分を当てて、中指の腹の部分を一種のガイドとして用いてパネルＰの切断を行う。
【００１３】
この際、図１３ｂに示すように、施術者ＡＣは右手の親指を柄Ｓ１２のリングｒ２に挿通し、小指を柄Ｓ１１の指掛けｆに係止させ、薬指をリングｒ１に挿通し、中指を凹部ｄ２に、人差し指を凹部ｄ１に夫々係止させる。この持ち方は、通常の洋鋏の持ち方とはかなり異なるが、これが、頭髪用鋏ＳＣの通常の持ち方である。このように右手で頭髪用鋏ＳＣを把持し、人差し指、中指、薬指、小指の４指はほぼ固定状態として、リングｒ２に挿通した親指を上下運動させることにより、柄Ｓ１２を回動させて柄部Ｓ１の開閉運動を行う。
【００１４】
親指を上下運動させることにより、柄Ｓ１２を回動させて柄部Ｓ１の開閉運動を行うと、これにより、刃部Ｓ２において、柄Ｓ１２と一体に形成されている刃Ｓ２２が回動し、これにより、刃部Ｓ２の開閉運動が行われる。この際、右手の人差し指、中指、薬指、小指の４指は略固定状態のため、柄Ｓ１１は殆ど動かず、結果として柄Ｓ１１と一体に形成されている刃部Ｓ２の刃Ｓ２１も殆ど動かず、左手の中指の腹に当接した状態が保持される。すなわち、刃部Ｓ２においては、刃Ｓ２２の回動運動によって開閉運動が行われ、刃Ｓ２１と刃Ｓ２２の間に位置するパネルＰが切断される。
【００１５】
図１３ｂから施術者ＡＣの両手を取り除いて、頭髪用鋏ＳＣとパネルＰのみの関係が明確になるように表すと、図１３ｃのようになる。図１３ｃにおいて、ｓｘはパネルＰが頭髪用鋏ＳＣの刃部Ｓ２によって切断される際の切断線であり、切断線ｓｘにおいてパネルＰに接する平面をパネル面ｐ３とする。なお、柄部開閉面ｐ１は前述のように柄部Ｓ１の開閉運動の方向ｘ１が属する平面（図１１ｂ参照）であり、刃部開閉面ｐ２は刃部Ｓ２の開閉運動の方向ｘ２が属する平面（図１１ｂ参照）であり、柄部開閉面ｐ１と刃部開閉面ｐ２は同一平面となっているので、これを開閉面ｐｘで表す。また、βは開閉面ｐｘとパネル面ｐ３が交差する角度である。
【００１６】
このときの、パネルＰと柄部開閉面ｐ１、刃部開閉面ｐ２、パネル面ｐ３の関係を右側面から模式的に表せば図１４ａのとおりである。頭髪用鋏ＳＣは、図１３ａのような自然な持ち方をした場合に、開閉面ｐｘ（＝柄部開閉面ｐ１、刃部開閉面ｐ２）がパネル面ｐ３と直交するように各部の構成がなされている。すなわち、角度βが９０°の角度となるように各部の構成がなされている。したがって、開閉面ｐｘとパネル面ｐ３の交差線となる切断線ｓｘにて切断される頭髪ｈの切断面ｓａは、図１４ｂ、図１０ａに示すように頭髪ｈの延長方向ｈ１に対して直角となる。すなわち、開閉面ｐｘとパネル面ｐ３の交差角度γは直角となる。
【００１７】
しかしながら、頭髪ｈの切断面ｓａが、頭髪ｈの延長方向ｈ１に対して直角となり、このように切断面が延長方向に対して直角となる頭髪が多くなると、これにより形成される被術者ＰＡの髪型の全体に大きな影響を与えるようになる。すなわち、図１０ｃに見るように、頭髪の方向が整然と揃った所謂ストレートヘアで、全体として膨らみがなく、頭部の形状が明確に判別できるような、貧しく重い印象を与える髪型ＨＳ１にならざるを得ない。
【００１８】
これに対し、図１０ｄに示す髪型ＨＳ２は、全体にやわらかな膨らみがあり、頭髪の方向もランダムで、明るく軽い印象を与えるものであり、人の好みにもよるが、理美容院にて調髪を受ける際には、程度の差こそあれ、髪型ＨＳ１よりは髪型ＨＳ２を望む顧客が圧倒的に多いのが現状である。そしてまた、いかにして、髪型ＨＳ２のような明るく軽い印象の仕上げを施すかが、理美容師の腕の見せどころでもあり、より軽く、やわらかい、空気を内部に孕んだような印象の髪型を成形し得る理美容師の人気は必然的に高まり、このような理美容師を多く抱える店は他店に比べてより多くの顧客を獲得することが可能となる。
【００１９】
しからば、いかにしてＨＳ２のような髪型を形成するかといえば、その基本は頭髪ｈの切断面の形状にある。すなわち、頭髪ｈの切断面を図１０ｂのｓｂのように、頭髪ｈの延長方向ｈ１に対して非直角になるように切断することにより、ＨＳ２のような髪型の形成が可能となる。なぜそのようになるのかという理由は解明されていないが、おそらく多くの頭髪がこのような切断面を持つことにより、頭髪の先端部にて頭髪同士がある程度絡み合うということと、また、切断の際に頭髪用鋏ＳＣの２本の刃Ｓ２１、Ｓ２２の間に働く斜め方向の剪断力が頭髪に捩れを与えて、１本１本の頭髪の方向が整列せず、ランダムになることがその理由ではないかと思われる。ともかく、経験則として、頭髪ｈの切断面ｓｂが頭髪ｈの延長方向ｈ１に対してなす角度γ（図１４ｂ参照）が直角になると、頭髪ｈの切断面は図１０ａに示す切断面ｓａとなり、ＨＳ２（図１０ｄ参照）のような髪型の形成が極めて困難となることが知られている。
【００２０】
いずれにせよ、頭髪ｈの切断面を図１０ｂの切断面ｓｂのように、頭髪ｈの延長方向ｈ１に対して非直角になるように切断することにより、ＨＳ２のような髪型の形成が可能となることは経験的事実として理美容師の間には良く知られているので、理美容師においては、ＨＳ２のような髪型を形成するために、切断面ｓｂを頭髪ｈの延長方向ｈ１に対して非直角になるように切断するという方法が一般的に広く用いられている。あるいは、別の言い方をするならば、理美容師においては、ＨＳ１（図１０ｃ参照）のような髪型となるのを回避するために、図１０ａあるいは図１４ｂのように頭髪ｈの延長方向ｈ１に直角な切断面ｓａが生じるのをできるかぎり避けようとする傾向が顕著である。
【００２１】
しからば、どのようにして図１０ｂの切断面ｓｂのような切断面を得るかといえば、図１３ｃにおける角度βができるだけ直角にならないようにするしかない。すなわち、頭髪用鋏ＳＣ全体を傾けることにより開閉面ｐｘをパネル面ｐ３に対して傾斜させてパネルＰを切断するという方法によるしかない。したがって、施術者ＡＣは、図１５ａあるいは図１７ａに示すような姿勢をもって頭髪用鋏ＳＣの上部を前方（図１５ａ）や後方（図１７ａ）に傾けてパネルＰの切断を行うこととなる。ところが、図１５ａあるいは図１７ａに示すような姿勢は、図１３ａに示す姿勢に比べると不自然で、図１５ａあるいは図１７ａに示す姿勢を長時間続けるということは、施術者ＡＣにとってはかなりの負担とならざるを得ない。
【００２２】
この点を、さらに詳しく解説すれば、以下のとおりである。すなわち、図１３ａ、図１３ｂに示す姿勢で切断作業を行う場合、すなわち、角度βが直角の状態（図１３ｃ、図１４ａ参照）にて切断作業を行う場合、頭髪ｈの切断面ｓａは図１４ｂに見るように、頭髪ｈの延長方向ｈ１に対して直角となる。このとき、施術者ＡＣの姿勢は、図１４ｃに見るように、前方に位置する物体ＯＢを掴もうとして右手をごく自然に前方（ＦＲ方向）に伸ばした姿勢となり、肩ＳＨから肘ＥＬ、手首ＷＲそして指先ＦＴにかけてのラインＬは流れるように優美な曲線を描く。この姿勢は、試みれば直ちに判明するように、肩ＳＨから肘ＥＬ、手首ＷＲ、指先ＦＴのどこにも無理な力がかからない自然体で、長時間続けても最も疲れの少ない姿勢である。
【００２３】
特に、指先ＦＴに注目すると、この姿勢においては、手首ＷＲから先端の部分には全く力が入っていない。指先ＦＴは自然の重さでやや下がり気味になった状態である。そして、頭髪用鋏ＳＣは、手首ＷＲから指先ＦＴにかけての部分がこのような形態になったときに、指先ＦＴにすっぽりと嵌るように全体の構成が設計されている。この点は、図１３ａと図１４ｃを見比べれば直ちに判明することである。つまり、従来の頭髪用鋏ＳＣは、人が前方にある物体ＯＢを掴もうとして自然に右手を伸ばした状態にて自然に使えるように作られているのである。
【００２４】
しかしながら、この状態では、頭髪ｈの切断面ｓａが頭髪ｈの延長方向ｈ１に対して直角になってしまうということは前述のとおりである（図１４ｂ参照）。すなわち、従来の頭髪用鋏ＳＣは、パネルＰをただ切断するという作用以上のことは考えずに造られているため、柄部開閉面ｐ１と刃部開閉面ｐ２を、従来の洋鋏の構成を自然に踏襲して同一平面（開閉面ｐｘ）とし、さらに、やはり従来の洋鋏の構成を自然に踏襲して開閉面ｐｘがパネル面ｐ３と直交する構成とした（図１３ｃ参照）。したがって、従来の頭髪用鋏ＳＣを図１３ａ、図１３ｂに示すようにごく自然な姿勢で把持してパネルＰの切断作業を行えば、当然のことながら頭髪ｈの切断面ｓａが頭髪ｈの延長方向ｈ１に対して直角になるという結果が招来されるのである。
【００２５】
したがって、このような状態を避けて、頭髪ｈの切断面ｓａが頭髪ｈの延長方向ｈ１に対して直角にならないようにするには、前述のように、頭髪用鋏ＳＣの上部を前後に傾斜させてパネルＰを切断せねばならない。例えば、図１５ａ、図１５ｂは頭髪用鋏ＳＣの上部を前方に傾斜させてパネルＰの切断を行っている状態を示す。図１５ｃ、図１６ａに見るように、開閉面ｐｘがパネル面ｐ３と交差する交差角度のうち、小さい方の角度βが直角より小となった状態を示している。このような状態になるように頭髪用鋏ＳＣ全体を傾斜させることにより、頭髪ｈの切断面ｓｂは、頭髪ｈの延長方向ｈ１に対して直角より小なる角度γを有することができ（図１６ｂ、図１６ｃ参照）、結果として図１０ｂに示すような切断面ｓｂを有する頭髪ｈを得ることができる。そして、これにより、図１０ｃに示すような内部に空気を孕んだ明るく軽い印象の髪型ＨＳ２が実現されるものである。
【００２６】
あるいは、図１７ａ、図１７ｂのように、頭髪用鋏ＳＣの上部を後方に傾斜させてパネルＰの切断を行っても同様の効果が得られる。この場合にも、図１７ｃ、図１８ａに見るように、開閉面ｐｘがパネル面ｐ３と交差する交差角度のうち小さい方の角度βが直角より小となるが、このような状態に頭髪用鋏ＳＣ全体を傾斜させることにより、頭髪ｈの切断面ｓｂは、頭髪ｈの延長方向ｈ１に対して直角より小なる角度γを有することができ（図１８ｂ、図１８ｃ参照）、結果として図１０ｂに示すような切断面ｓｂを有する頭髪ｈを得ることができる。すなわち、図１８ｂ、図１８ｃに示す頭髪ｈの上下を反転させると図１０ｂに示すような切断面ｓｂを有する頭髪ｈを得ることができる。そして、やはりこれにより、図１０ｃに示すような内部に空気を孕んだ明るく軽い印象の髪型ＨＳ２が実現される。
【００２７】
実際の理美容の現場においては、理美容師は、図１０ｃに示すような髪型ＨＳ２を得るために、現実に、図１５ａあるいは図１７ａに示すような姿勢でパネルＰの切断作業を行っている。しかしながら、ここで問題になるのは、図１５ａあるいは図１７ａに示すような姿勢は、図１３ａに示す姿勢に比べて不自然であり、特に施術者ＡＣの右の手首ＷＲに常に緊張感を強いる結果、施術者ＡＣの疲労感が大きく、長時間このような姿勢を持続することが困難となるという点である。
【００２８】
この点を図示して説明すれば、次のとおりである。図１３ａのような姿勢の場合には、図１４ｃにて、施術者ＡＣの肩ＳＨから肘ＥＬ、手首ＷＲ，指先ＦＴにかけてのラインＬが流れるような優美な曲線を描くことを説明したが、図１５ａのような姿勢になると、図１６ｄに示すように、肩ＳＨから肘ＥＬまでのラインＬには無理な点はないが、手首ＷＲの部分にてラインＬを急角度で下方に屈曲させなければならない。そして、このような姿勢をとろうとすれば、手首ＷＲから指先ＦＴに至る部分に、下向き（ＬＦ方向）の力を働かせ続けなければならない。すなわち、図１４ｃにおいて、指先ＦＴの延長方向にある物体ＯＢを掴もうとする際に、物体ＯＢの位置が下がって図１６ｄに示す状態になると、それを掴もうとするために手首ＷＲから先を下げなければならないが、それと同様の姿勢を長時間続けなければならないということになる。
【００２９】
この点において、図１５ａのような姿勢は、施術者ＡＣの右の手首ＷＲにかかる負担が大きく、いきおい、手首ＷＲから先が上がって図１３ａのような状態に戻ろうとする。したがって、図１５ａのような姿勢を保って切断作業を続けているうちは図１６ｂや図１６ｃのような切断面ｓｂを有する頭髪ｈが得られるが、手首ＷＲから先が上がって図１３ａのような状態に戻っていくにつれ、切断面ｓｂが頭髪ｈの延長方向ｈ１となす角度γが直角となり、結局図１０ａあるいは図１４ｂに示す切断面ｓａを有する頭髪ｈが増加していくことになる。すると、図１０ｄに示すような髪型ＨＳ２を得ることは困難となり、図１０ｃに示す髪型ＨＳ１になっていってしまう。
【００３０】
あるいは、逆に図１７ａのような姿勢になると、図１８ｄに示すように、肩ＳＨから肘ＥＬまでのラインＬには無理な点はないものの、手首ＷＲの部分にてラインＬを急角度で上方に屈曲させなければならない。そして、このような姿勢をとろうとすれば、手首ＷＲから指先ＦＴに至る部分に、上向き（ＵＦ方向）の力を働かせ続けなければならない。すなわち、図１４ｃにおいて、指先ＦＴの延長方向にある物体ＯＢを掴もうとする際に、物体ＯＢの位置が上がって図１８ｄに示す状態になると、それを掴もうとするために手首ＷＲから先を上げなければならないが、それと同様の姿勢を長時間続けなければならないということになる。
【００３１】
この点において、図１７ａのような姿勢も、図１５ａのような姿勢と同様に施術者ＡＣの右の手首ＷＲにかかる負担が大きく、いきおい、手首ＷＲから先が下がって図１３ａのような状態に戻ろうとする。したがって、図１７ａのような姿勢を保って切断作業を続けているうちは図１８ｂや図１８ｃのような切断面ｓｂを有する頭髪ｈが得られるが、手首ＷＲから先が下がって図１３ａのような状態に戻っていくにつれ、切断面ｓｂが頭髪ｈの延長方向ｈ１となす角度γが直角となり、結局図１０ａあるいは図１４ｂに示す切断面ｓａを有する頭髪ｈが増加していくことになる。すると、この場合もやはり図１０ｄに示すような髪型ＨＳ２を得ることは困難となり、図１０ｃに示す髪型ＨＳ１になっていってしまう。
【００３２】
なお、図１５ａに示すような姿勢、あるいは図１７ａに示すような姿勢のどちらをとるかは、あくまで施術者ＡＣの好みによる。すなわち、図１６ｂと図１８ｂ、あるいは図１６ｃと図１８ｃでは、一見切断方向が上下対称に見えるが、実際は、頭髪ｈはいろいろな方向に捻れる性質を有しているので、パネルＰを切断する瞬間にては切断面方向は一定であるが、すぐにランダムになる。したがって、図１６ｂと図１８ｂの頭髪ｈは結局同じものであり、図１６ｃと図１８ｃの頭髪ｈも結局同じものである。したがって、実際の現場にては、施術者ＡＣは図１５ａに示すような姿勢で暫く作業を続け、手首ＷＲが疲れてくると今度は手首ＷＲに反対方向の力が働く図１７ａに示すような姿勢で暫く作業を続けるというような作業方法を採っている場合が多い。
【００３３】
従来の頭髪用鋏ＳＣを用いる限り、上記のような問題は不可避的に生じてくるものである。実際の現場においては、良く訓練された理美容師は、図１５ａに示す姿勢や図１７ａに示す姿勢を適宜使い分け、出来る限り手首ＷＲに疲労が蓄積しないように切断作業を継続していくが、それでもやはり手首ＷＲには無理がかかるため、図１３ａに示す無理のない姿勢にて各部分が略適宜の長さとなるように頭髪全体を予め切断しておき、さらに仕上げの段階で、図１５ａに示す姿勢、あるいは図１７ａに示す姿勢をもって図１０ｂに示すような切断面ｓｂを有する頭髪ｈが多くなるように切断作業を行う理美容師もいる。
【００３４】
しかし、そのような方法では切断作業が２度手間となり、結局手首ＷＲにおける疲労感はあまり変わらない。しかも作業時間もより多くを要することとなる。したがって、１回の切断にて図１０ｂに示すような切断面ｓｂが簡単に得られ、しかも、使い勝手は図１３ａに示すような無理のない自然な姿勢で、手首ＷＲに余分な負担がかからないような構成の頭髪用鋏の誕生が、特に理美容の現場にて希求されているのが現状である。
【００３５】
なお、上記特許文献１、２に記載の発明、考案にては、上記目的は達成できないことを付言しておく。上記特許文献１、２に記載の発明、考案は、いずれも、柄部開閉面と刃部開閉面が同一平面上にあるという点では、従来の頭髪用鋏ＳＣとその構成はなんら異なるところはない。上記特許文献１、２に記載の発明、考案は、いずれも、頭髪用鋏を把持する右手の形状に合わせてリングの部分を回動できるということを開示しているに留まっている。上記特許文献２においては、「カッティング角度が調節可能」であることが謳われているが、実際の構成では、リング（上記特許文献２にては円形孔）の角度を変えることができるだけで、柄部開閉面と刃部開閉面は依然として同一平面上にあるので、結局鋏全体を傾斜させなければ頭髪の切断面を斜めにカットすることができない。したがって理美容の現場にて希求されている内容を満足させる頭髪用鋏とはなり得ないものである。
【００３６】
加えて、上記引用文献２の「理髪用はさみ」は、その形状が余りにも特殊であり、この点からも、従来の頭髪用鋏ＳＣを使い慣れた理美容師にとっては、いかにも使いづらいものである。したがって、従来の頭髪用鋏の基本デザインはそのまま踏襲しつつ、理美容の現場にて希求されている内容、すなわち、従来の頭髪用鋏の基本的なポジション（図１３ａ参照）にて無理なく自然にパネルを切断して、しかも、切断面が頭髪の延長方向に対して斜めになるという内容を満足させる頭髪用鋏が求められているのである。
【００３７】
以上より、本発明の課題を、以下のように設定した。
＜課題１＞
従来の頭髪用鋏の基本的なポジション、すなわち、頭髪用鋏を把持する方の手の肩、肘、手首、指先のいずれの場所にも無理がかからない自然な姿勢で頭髪のパネルを切断した場合に、１本１本の頭髪の切断面が頭髪の延長方向に対して非直角になるような構成の頭髪用鋏を開発する。
＜課題２＞
この場合の頭髪の切断面が頭髪の延長方向に対してなす角度が非直角となるようにする理由は、頭髪の切断面が頭髪の延長方向に対してなす角度が直角になると、結果として内部に空気を孕んだ明るく軟らかい印象の髪型が極めて形成しにくくなるからである。したがって、内部に空気を孕んだ明るく軟らかい印象の髪型が極めて形成するために、上記構成の頭髪用鋏を開発するものである。
＜課題３＞
さらに、頭髪用鋏の全体の基本デザインは、従来の頭髪用鋏と余り変わりのないようなものとしたい。上記課題１、２を満足するようなものでも特殊な形状のものになってしまうと、結局理美容師の手になじまず、使いづらいものとなるからである。
【課題を解決するための手段】
【００３８】
本発明は、上記課題を解決するためになされたものであり、以下に示す解決手段を提供するものである。
＜解決手段１＞
頭髪用挟の、手に把持する部分を柄部とし、刃を有し頭髪を切断する部分を刃部とし、柄部を構成する２本の柄の開閉動作が行われる平面を柄部開閉面とし、刃部を構成する２本の刃の開閉動作が行われる平面を刃部開閉面とした場合に、柄部開閉面と刃部開閉面との交差角度が非直角となるように柄部と刃部が捩れた状態にて構成されていることを特徴とする頭髪用挟。
＜解決手段２＞
頭髪用挟の、手に把持する部分を柄部とし、刃を有し頭髪を切断する部分を刃部とし、柄部を構成する２本の柄の開閉動作が行われる平面を柄部開閉面とし、刃部を構成する２本の刃の開閉動作が行われる平面を刃部開閉面とした場合に、柄部開閉面と刃部開閉面との交差角度のうち狭い方の交差角度が、２°〜１５°未満の範囲内となるように柄部と刃部が捩れた状態にて構成されていることを特徴とする頭髪用挟。
＜解決手段３＞
頭髪用挟の、手に把持する部分を柄部とし、刃を有し頭髪を切断する部分を刃部とし、柄部を構成する２本の柄の開閉動作が行われる平面を柄部開閉面とし、刃部を構成する２本の刃の開閉動作が行われる平面を刃部開閉面とした場合に、柄部開閉面と刃部開閉面との交差角度のうち狭い方の交差角度が、１５°以上〜３０°未満の範囲内となるように柄部と刃部が捩れた状態にて構成されていることを特徴とする頭髪用挟。
＜解決手段４＞
頭髪用挟の、手に把持する部分を柄部とし、刃を有し頭髪を切断する部分を刃部とし、柄部を構成する２本の柄の開閉動作が行われる平面を柄部開閉面とし、刃部を構成する２本の刃の開閉動作が行われる平面を刃部開閉面とした場合に、柄部開閉面と刃部開閉面との交差角度のうち狭い方の交差角度が、３０°以上〜５０°の範囲内となるように柄部と刃部が捩れた状態にて構成されていることを特徴とする頭髪用挟。
【００３９】
解決手段１〜４に記載の頭髪用鋏においては、従来の頭髪用鋏のように、柄部開閉面と刃部開閉面が同一平面状にあるという構成をとらず、柄部開閉面と刃部開閉面とが一定の角度で交差する、つまり柄部と刃部が捩れた状態にて構成されているというところに、その基本的な特徴がある。
【００４０】
しからば、その、柄部開閉面と刃部開閉面の交差角度は何度位が適切かということになるが、この交差角度が大になればなるほど、被術者の髪型は内部に空気を孕んだ明るく柔らかな印象を与える髪型に近づくが、被術者の中には、過剰に豊かなボリューム感のある髪型を嫌う人もいる。したがって所謂ストレートヘアに近いものから非常に豊かなボリューム感のある髪型に至るまでの髪型を最もストレートヘアに近い第１型〜最もボリューム感のある第３型の３段階に分け、夫々の髪型を成形するための最適な上記交差角度の範囲を求めてみた。但し、上記交差角度は、理美容師の夫々の好みや癖によって変化するところが大きいので、理論的に導出することは困難である。したがって、上記交差角度の範囲は、実際に理美容の現場で働く多くの理美容師（見習い者も含む）から聞き取り調査をするという方法で行った。
【００４１】
その結果として、最もストレートヘアに近い第１型の髪型を成形するために必要な最小限の上記交差角度は２°であることが明らかとなった。２°という角度は、数字の上からは略直角とも思える角度であるが、理美容師によっては、従来の頭髪用鋏との構成上の差ができるだけ少ないものを求める人もおり、この２°という角度でも従来の頭髪用鋏と比較してはるかに疲労感が少なく、しかも望みの髪型を得られるという意見があったので、この交差角度の最小値を２°と設定した。これについては、３°あるいは４°あるいは５°程度が良いという意見もあった。結局、理美容師の好みとしては、２°から７、８°位に一つの山が見られる。また、第１型の髪型を成形するための最大限の交差角度は、多くの理美容師の意見により１５°未満と設定した。次に、ストレートヘアと豊かなボリューム感のある髪型の中間に位置する第２型の髪型に関しては、第１型の髪型を成形するための最大限の交差角度が１５°未満であるので、その最小限の交差角度を１５°以上とした。また、最大限の交差角度は、やはり多くの理美容師の意見により３０°未満と設定した。さらに、最も豊かなボリューム感のある髪型である第３型の髪型に関しては、第２型の髪型を成形するための最大限の交差角度が３０°未満であるので、その最小限の交差角度を３０°以上とした。また、最大限の交差角度は理論上は９０°近いものも可能であるが、交差角度が余りに大となると、従来の頭髪用鋏との構成上の差ばかりか使い勝手の差もやはり大きくなるため、やはり多くの理美容師に意見を聞いて、最大限の交差角度を５０°とした。
【００４２】
したがって、第１型の髪型を得るための上記交差角度の範囲は２°〜１５°未満であり、この角度限定によって構成された頭髪用鋏が、解決手段２に記載の頭髪用鋏である。また、第２型の髪型を得るための上記交差角度の範囲は１５以上〜３０°未満であり、この角度限定によって構成された頭髪用鋏が、解決手段３に記載の頭髪用鋏である。さらに、第３型の髪型を得るための上記交差角度の範囲は３０以上〜５０°であり、この角度限定によって構成された頭髪用鋏が、解決手段４に記載の頭髪用鋏である。
【００４３】
解決手段１〜４に記載の頭髪用鋏は、また、次のような基本的特徴を有するものである。すなわち、柄部開閉面と刃部開閉面が一定の角度で交差するという点を除けば、他の点はすべて、従来の頭髪用鋏と同一の構成をとることが可能であるという点である。すなわち、解決手段１〜４に記載の頭髪用鋏は、柄部開閉面と刃部開閉面が一定の角度で交差するという点のみにおいて従来の頭髪用鋏の構成を変化させることを要請しているだけで、柄部の基本構成についても、刃部の基本構成についても、従来の頭髪用鋏の構成を変化させることは要請していない。したがって、上記＜課題３＞の求めるところに答えることができるものである。
【００４４】
例えば、上記特許文献２においては、従来の頭髪用鋏の基本的なデザインがかなりの変化を蒙っていることは既述のとおりであるが、解決手段１〜４に記載の頭髪用鋏においては、柄部の基本構成も、刃部の基本構成も従来の頭髪用鋏の基本構成をそのまま踏襲できるので、理美容師においては、従来の頭髪用鋏を使用するときと殆ど変わらない使用感をもって作業を進めることができるものである。理美容師も、やはり職人として、使用する道具の使用感という点については、大工職が大工道具に対するのと同様の愛着と思い入れを持つものであるから、従来から受け継がれてきたスタイルから余りにかけ離れたスタイルの道具に対しては、強い拒否反応を示すのが常である。この点、解決手段１〜４に記載の頭髪用鋏においては、柄部の基本構成も、刃部の基本構成も従来の頭髪用鋏の基本構成から変化させる必要がないので、この点からしても、多くの理美容師に抵抗感なく受け入れられるものとなっていることが大きな特徴である。ただし、柄部の基本構成及び刃部の基本構成を適宜変化させることもまた自由であり、柄部開閉面と刃部開閉面が一定の角度で交差するという構成を有している限り、柄部の基本構成及び刃部の基本構成を従来の頭髪用鋏から変化させた頭髪用鋏も又本発明の範囲に含まれるのは当然のことである。
【発明の効果】
【００４５】
本発明の解決手段１〜４の発明の頭髪用鋏においては、柄部開閉面と刃部開閉面が一定の角度で交差しているので、施術者が頭髪用鋏を把持する際の肩、肘、手首から指先にかけてのポジションはごく自然な無理のない姿勢で、しかも、頭髪のパネルを頭髪の延長方向に対して非直角に切断できる。そして、これにより、疲労感が最も少なく、しかも迅速に、さまざまなタイプの内部に空気を孕んだ明るく柔らかい印象の髪型、すなわち、ストレートヘアに近い髪型から豊かなボリューム感のある髪型に至るまでの各種髪型を自在に成形できるものである。
【００４６】
本発明の解決手段２の発明の頭髪用鋏においては、柄部開閉面と刃部開閉面との交差角度のうち狭い方の交差角度を２°〜１５°未満としたので、多くの理美容師が内部に空気を孕んだ明るく柔らかい印象の髪型のうちでもストレートヘアに近い髪型を成形する上において、上記効果を有する頭髪用鋏を提供できるものである。
【００４７】
本発明の解決手段３の発明の頭髪用鋏においては、柄部開閉面と刃部開閉面との交差角度のうち狭い方の交差角度を１５°以上〜３０°未満としたので、多くの理美容師が内部に空気を孕んだ明るく柔らかい印象の髪型のうちでもストレートヘアと豊かなボリューム感のある髪型の中間の髪型を成形する上において、上記効果を有する頭髪用鋏を提供できるものである。
【００４８】
本発明の解決手段４の発明の頭髪用鋏においては、柄部開閉面と刃部開閉面との交差角度のうち狭い方の交差角度を３０°以上〜５０°としたので、多くの理美容師が内部に空気を孕んだ明るく柔らかい印象の髪型のうちでも最も豊かなボリューム感のある髪型の中間の髪型を成形する上において、上記効果を有する頭髪用鋏を提供できるものである。
【００４９】
本発明の解決手段１〜４の発明の頭髪用鋏においては、柄部の基本構成も、刃部の基本構成も、従来の頭髪用鋏から変化させることは要請していないので、柄部の基本構成においても刃部の基本構成においても、従来の頭髪用鋏の基本構成をそのまま踏襲することができる。したがって、道具の使用感にこだわりを持つ理美容師においても、従来の頭髪用鋏と殆ど異なるところのない使用感をもって使用できるものである。
【発明を実施するための最良の形態】
【００５０】
本発明を実施するための最良の形態を、以下に図面を参照しながら詳細に説明する。
【実施例１】
【００５１】
実施例１の頭髪用鋏Ｓは、図１〜図５ａに示すとおりである。図１は、頭髪用鋏Ｓの開いた状態の外観斜視図であり、図２ａは閉じた状態の正面図、図２ｂは開いた状態の正面図、図３ａは閉じた状態の背面図、図３ｂは開いた状態の背面図、図４ａは閉じた状態の平面図、図４ｂは閉じた状態の底面図、図４ｃは閉じた状態の左側面図、図５ａは図４ｃの拡大図である。ただし、図２ａを正面図とする理由は、前述の従来の頭髪用鋏ＳＣ（図１１ａ参照）と同様で、施術者が頭髪用鋏Ｓを用いる際には、施術者の目から見て頭髪用鋏Ｓが図２ａに示す状態が正面になるように使用されるのが通常の使用状態であるという点による。
【００５２】
実施例１の頭髪用鋏Ｓはステンレス製で、手に把持する柄部１、刃を有し頭髪を切断する刃部２、そして枢軸３から構成されており、柄部１の構成は、基本的に従来の頭髪用鋏ＳＣ（図１１ａ参照）の柄部Ｓ１の構成と同様であり、刃部２の構成も従来の頭髪用鋏ＳＣの刃部Ｓ２の構成と同様である。また、刃先の切れ味が紙切用等に用いる挟に比べてはるかに良好である点も従来の頭髪用鋏ＳＣと同様である。なお、ここに示す頭髪用鋏Ｓは右利き用であって、左利き用の頭髪用挟（図示せず）は、すべての構成が頭髪用鋏Ｓと左右対称となる。また、枢軸３の構成は、従来の頭髪用鋏ＳＣの枢軸Ｓ３（図１１ａ参照）の構成と全く同一であり、公知技術であるので、詳細な説明は省略する。
【００５３】
頭髪用鋏Ｓの柄部１は、柄１１と柄１２から構成されており、柄１１の端部にはリングＲ１が柄１１と一体に、柄１２の端部にはリングＲ２が柄１２と一体に、夫々形成されている。また、リングＲ１の右端部には曲線状の指掛けＦがリングＲ１と一体に突設され、リングＲ１の左方の柄１１の上面には緩やかな曲線状の凹部Ｄ１、Ｄ２が形成されている。また、リングＲ１の下面には凸部Ｔ１が、リングＲ２の上面には凸部Ｔ２が夫々形成され、凸部Ｔ２の上面には軟質樹脂からなる弾性体Ａが固着されている。凸部Ｔ１と弾性体Ａは、頭髪用鋏Ｓが閉じた状態（図２ａ参照）にて、当接するように構成されている。
【００５４】
頭髪用鋏Ｓの刃部２は、刃２１と刃２２から構成されており、刃２１の上面には刃先Ｂ１が、刃２２の下面には刃先Ｂ２が、夫々形成されている（図１、図２ｂ参照）。柄１１と刃２１は一体に形成されて頭髪用鋏Ｓの前部パーツＦＰをなし、柄１２と刃２２は一体に形成されて頭髪用鋏Ｓの後部パーツＲＰをなしており、前部パーツＦＰと後部パーツＲＰが頭髪用鋏Ｓの略中央部で枢軸３により開閉自在に枢設されて頭髪用鋏Ｓが構成されている。
【００５５】
上記のように、柄部１は従来の頭髪用鋏ＳＣ（図１１ａ参照）の柄部Ｓ１と略同様の構成であり、刃部２は従来の頭髪用鋏ＳＣ（図１１ａ参照）の刃部Ｓ２と略同様の構成である。次に、実施例１の頭髪用鋏Ｓの最も特徴的な構成となる柄部１と刃部２の捩れについて説明する。頭髪用鋏Ｓは、図１に示すように、枢軸３を中心として、柄部１と刃部２が同期して開閉作用を行う。すなわち、柄部１を開けば刃部２が開き、柄部１を閉じれば刃部２も閉じる。図１にては、柄部１の開閉運動の方向をＸ１にて、刃部２の開閉運動の方向をＸ２にて、夫々示している。今、柄部１の開閉運動の方向Ｘ１が属する平面を柄部開閉面Ｐ１、刃部２の開閉運動の方向Ｘ２が属する平面を刃部開閉面Ｐ２とすると、図１に示すように、柄部開閉面Ｐ１と刃部開閉面Ｐ２が角度αをなすように、柄部１と刃部２が枢軸３より少し柄部１寄りの部分にて捻られて構成されている。この点が、実施例１の頭髪用鋏Ｓが従来の頭髪用鋏ＳＣと最も異なる点である。なお、実施例１の頭髪用鋏Ｓにおいては、角度α＝３８°にて構成されている。
【００５６】
柄部１と刃部２の捻れについては、図１〜図３ｂの外観斜視図や正面図や背面図ではやや分かりにくいが、図４ａの平面図、図４ｂの底面図、図４ｃの左側面図、そして図５ａの拡大左側面図において明確に示されている。特に、柄部１と刃部２（柄部開閉面Ｐ１と刃部開閉面Ｐ２）が角度αをもって捻られた状態に構成されている点は図５ａに、また、柄部１と刃部２が、枢軸３よりやや柄部１寄りの位置にて捻られている点は図４ａ、図４ｂに明確に示されている。なお、図５ａの頭髪用鋏Ｓは、前述のようにα＝３８°であるが、αを５°とした例（頭髪用鋏Ｓ５）を図５ｂに、αを４５°とした例（頭髪用鋏Ｓ４５）を図５ｃに、夫々掲げておく。また、図４ａ、図４ｂにて、正面及び背面から見た状態で、柄部開閉面Ｐ１と刃部開閉面Ｐ２に僅かの交差角度δが付されていることが示されているが、これは、後述の頭髪のパネルＰに頭髪用鋏Ｓを当ててパネルＰを切断する際に、この僅かの交差角度δが付してあると、施術者の使い勝手が向上するという理由（経験則）によるものである。なお、実施例１の頭髪用鋏Ｓにては、δ＝２°である。
【００５７】
以下に、実施例１の頭髪用鋏Ｓの作用を、図面を参照しながら説明する。実際の理美容の現場にて実施例１の頭髪用鋏Ｓが用いられている状態の１例を図６に示す。図６にて、ＡＣは頭髪用鋏Ｓを用いる施術者であり、ＰＡは頭髪用鋏Ｓにて頭髪の切断を受ける被術者である。施術者ＡＣは右手に頭髪用鋏Ｓを把持し、左手にて被術者ＰＡの頭髪の一部を採り、これを左手の人差し指と中指の間に挟んでパネルＰとする。パネルＰは、従来の頭髪用鋏ＳＣによる切断の際と同様に、１、２回の開閉にて切断できる位の量とされ、図７ａ、図７ｂに示すように、左手の中指の腹の部分に頭髪用鋏Ｓの刃部２の刃２１の背面側の下端部分を当てて、中指の腹の部分を一種のガイドとして用いてパネルＰの切断を行う点も、従来の頭髪用鋏ＳＣによる切断と同様である。
【００５８】
この際、図７ａ、図７ｂに示すように、施術者ＡＣは右手の親指を柄１２のリングＲ２に挿通し、小指を柄１１の指掛けＦに係止させ、薬指をリングＲ１に挿通し、中指を凹部Ｄ２に、人差し指を凹部Ｄ１に夫々係止させる。この持ち方も従来の頭髪用鋏ＳＣの持ち方と全く変わらない。また、このように右手で頭髪用鋏Ｓを把持し、人差し指、中指、薬指、小指の４指はほぼ固定状態として、リングＲ２に挿通した親指を上下運動させることにより、柄１２を回動させて柄部１の開閉運動を行う点も従来の頭髪用鋏ＳＣの操作と全く同じである。つまり、施術者ＡＣは、従来の頭髪用鋏ＳＣを扱う際と全く同様の使用感をもって実施例１の頭髪用鋏Ｓを操作することができる。
【００５９】
親指を上下運動させることにより、柄１２を回動させて柄部１の開閉運動を行うと、これにより、刃部２において、柄１２と一体に形成されている刃２２が回動し、これにより、刃部２の開閉運動が行われる。この際、右手の人差し指、中指、薬指、小指の４指は略固定状態のため、柄１１は殆ど動かず、結果として柄１１と一体に形成されている刃部２の刃２１も殆ど動かず、左手の中指の腹に当接した状態が保持される。すなわち、刃部２においては、刃２２の回動運動によって開閉運動が行われ、刃２１と刃２２の間に位置するパネルＰが切断される。この際に、施術者ＡＣの感じる使用感は従来の頭髪用鋏Ｓの使用感と全く変わらないが、パネルＰが切断される際の様相は、従来の頭髪用鋏Ｓにおけるそれとはかなり異なったものとなる。以下、その点を詳細に説明する。
【００６０】
図７ｂから施術者ＡＣの両手を取り除いて、頭髪用鋏ＳとパネルＰのみの関係が明確になるように表すと、図８のようになる。図８において、ＳＸはパネルＰが頭髪用鋏Ｓの刃部２によって切断される際の切断線であり、切断線ＳＸにおいてパネルＰに接する平面をパネル面Ｐ３とする。なお、柄部開閉面Ｐ１は前述のように柄部１の開閉運動の方向Ｘ１が属する平面（図１参照）であり、刃部開閉面Ｐ２は刃部２の開閉運動の方向Ｘ２が属する平面（図１参照）であり、前述のように柄部開閉面Ｐ１と刃部開閉面Ｐ２は角度αをもって交差している。また、β１は柄部開閉面Ｐ１とパネル面Ｐ３が交差する角度であり、β２は刃部開閉面Ｐ２とパネル面Ｐ３が交差する角度である。
【００６１】
このときの、パネルＰと柄部開閉面Ｐ１、刃部開閉面Ｐ２、パネル面Ｐ３の関係を右側面から模式的に表せば図９ａのとおりである。頭髪用鋏Ｓは、図６のような自然な持ち方をした場合に、柄部開閉面Ｐ１がパネル面Ｐ３と略直交するように柄部１の構成がなされている。すなわち、角度β１が９０°となるように柄部１の構成がなされていて、この点は従来の頭髪用鋏ＳＣの柄部Ｓ１の構成と同様である（図１４ａ参照）。しかるに、頭髪用鋏Ｓにおいては、柄部開閉面Ｐ１に対して刃部開閉面Ｐ２が交差角度αをもって交差するように柄部１と刃部２が捻られた状態で構成されているので、角度β１を９０°とした場合に、刃部開閉面Ｐ２がパネル面Ｐ３と交差する交差角度β２は、９０°から上記交差角度αを差し引いた値となる（図９ａ参照）。したがって、角度αを３８°とした場合（図５ａ）には、角度β２は５２°となり、また、角度αが５°（図５ｂ）であれば角度β２は８５°、角度αが４５°なら（図５ｃ）角度β２も４５°となる。
【００６２】
したがって、施術者ＡＣは、柄部１をごく自然なポジション、すなわち角度β１が直角となる姿勢にて把持し、従来の頭髪用鋏ＳＣを扱う際と全く同様の使用感にて頭髪用鋏Ｓを操作していても、パネルＰが切断される角度は、従来の頭髪用鋏ＳＣのように直角とはならず、パネル面Ｐ３と刃部開閉面Ｐ２が交差する交差角度β２をもってパネルＰが切断されることとなる。その結果、パネルＰを構成する頭髪Ｈにおいては、頭髪Ｈの延長方向Ｈ１に対して角度γをもって切断面ＳＡが形成されることになる（図９ｂ、図９ｃ、図９ｄ参照）。
【００６３】
そして、この角度γは、当然のことであるが、パネルＰが切断される角度β２に等しいものとなる。したがって、角度αが３８°の頭髪用鋏Ｓを用いれば、パネルＰを構成する頭髪Ｈは延長方向Ｈ１に対して５２°の角度γをもって切断されることになり（図９ｂ参照）、角度αが５°の頭髪用鋏Ｓを用いれば、パネルＰを構成する頭髪Ｈは延長方向Ｈ１に対して８５°の角度γをもって切断されることになり（図９ｃ参照）、角度αが４５°の頭髪用鋏Ｓを用いれば、パネルＰを構成する頭髪Ｈは延長方向Ｈ１に対して４５°の角度γをもって切断されることになる（図９ｄ）。
【００６４】
このとき、施術者の姿勢は、図９ｅに見るように、前方に位置する物体ＯＢを掴もうとして右手をごく自然に前方（ＦＲ方向）に伸ばした姿勢となり、肩ＳＨから肘ＥＬ、手首ＷＲそして指先ＦＴにかけてのラインＬは流れるように優美な曲線を描く。この姿勢は、前述のように、肩ＳＨから肘ＥＬ、手首ＷＲ、指先ＦＴのどこにも無理な力がかからない自然体で、長時間続けても最も疲れの少ない姿勢である。そして、頭髪用鋏Ｓは、手首ＷＲから指先ＦＴにかけての形態がこのようになったときに、指先ＦＴにすっぽりと嵌るように柄部１の構成が設計されている。この点は、頭髪用鋏Ｓの柄部１の構成が従来の頭髪用鋏ＳＣの柄部Ｓ１の構成をそのまま踏襲したものである以上当然のことである。すなわち、人が前方にある物体ＯＢを掴もうとして自然に右手を伸ばした状態にて自然に使えるように作られている頭髪用鋏ＳＣの柄部Ｓ１の構成と同一の構成の柄部１を有しているということである。
【００６５】
したがって、以上から、実施例１の頭髪用鋏Ｓは、従来の頭髪用鋏ＳＣをごく自然に操作するのと同様の操作感覚をもって使用することにより、図９ｂ〜図９ｄのような切断面ＳＡを有する頭髪を得ることができ、これにより、図１０ｄに示すような内部に空気を孕んだ明るく柔らかい印象を与える髪型ＨＳ２を、自然に、しかも迅速に成形できるものである。なお、厳密にいえば、柄部開閉面Ｐ１と刃部開閉面Ｐ２の交差角度が３８°である実施例１の頭髪用鋏Ｓによって得られるのは角度γが５２°である図９ｂに示す頭髪Ｈとなるが、実際の現場においては、頭髪用鋏Ｓを適宜多少傾斜させて用いるので、現実には、図９ｃ、図９ｄに示すような角度γの異なる頭髪Ｈも得ることができる。
【００６６】
すなわち、頭髪用鋏Ｓをごく自然なポジションで把持した際に得られる図９ｂに示す頭髪Ｈを中心として、施術者ＡＣの適宜な操作によって、角度γが様々に変化する頭髪Ｈの集合体が得られるものである。そして、この際に、施術者ＡＣが頭髪用鋏Ｓを把持する基本的なポジションはあくまで図６〜図９ａに示すとおりのもの、すなわち、柄部開閉面Ｐ１とパネル面Ｐ３の交差角度β１が直角であるので、施術者ＡＣにおいては頭髪用鋏Ｓを把持する右手、特に手首ＷＲの部分に無理な負担が長時間かかり続けるということがなく、最小の疲労感にて切断作業を続行できるものである。
【産業上の利用可能性】
【００６７】
従来技術の項にて説明したように、従来の頭髪用鋏においては、髪型ＨＳ２（図１０ｄ参照）を得るためには頭髪用鋏自体を常時傾斜させて使用しなければならず、そのような作業に習熟するためにはある程度の訓練を要するものであったが、本発明の頭髪用鋏を用いることにより、初心者でも簡単に内部に空気を孕んだ明るく柔らかい印象を与える髪型ＨＳ２を得ることができるようになった。したがって、本発明の頭髪用鋏は、実際の理美容の現場ではむろんのこと、初心者のための教育用の道具として用いた場合にも、大きな効果をあげえるものである。また、熟練者においても、従来の頭髪用鋏を用いる場合に比較して疲労感が格段に少なく、しかも迅速に内部に空気を孕んだ明るく柔らかい印象を与える髪型ＨＳ２を得ることができるので、１日に対応可能な顧客数を大幅に増加させることも可能であり、顧客の側においては、待ち時間が短縮されるという効果もある。さらに、基本的な構成、特に手に把持する柄部の構成が従来の頭髪用鋏と同じで、使い勝手は従来の頭髪用鋏と変わらないので、殆どの理美容師に抵抗感なく受け入れられるものである。本発明の頭髪用鋏は、このように、これからの理美容業界に広く貢献し得るものである。
【図面の簡単な説明】
【００６８】
【図１】本発明の実施例１の頭髪用鋏の外観斜視図である。
【図２】（ａ）本発明の実施例１の頭髪用鋏の閉じた状態の正面図である。（ｂ）本発明の実施例１の頭髪用鋏の開いた状態の正面図である。
【図３】（ａ）本発明の実施例１の頭髪用鋏の閉じた状態の背面図である。（ｂ）本発明の実施例１の頭髪用鋏の開いた状態の背面図である。
【図４】（ａ）本発明の実施例１の頭髪用鋏の閉じた状態の平面図である。    （ｂ）本発明の実施例１の頭髪用鋏の閉じた状態の底面図である。    （ｃ）本発明の実施例１の頭髪用鋏の閉じた状態の左側面図である。
【図５】（ａ）図４ｃの拡大図である。（ｂ）本発明の実施例１の頭髪用鋏において、柄部開閉面と刃部開閉面との交差角度を変化させた頭髪用鋏の１例の閉じた状態の左側面図である。（ｃ）本発明の実施例１の頭髪用鋏において、柄部開閉面と刃部開閉面との交差角度を変化させた頭髪用鋏の別の１例の閉じた状態の左側面図である。
【図６】本発明の実施例１の頭髪用鋏の作用を説明する説明図である。
【図７】（ａ）本発明の実施例１の頭髪用鋏の作用を説明する説明図で、施術者側から見た使用状態を示すものである。    （ｂ）図６の要部の拡大図である。
【図８】図７ｂから施術者の両手を除いて本発明の実施例１の頭髪用鋏と頭髪のパネルとの関係を示した説明図である。
【図９】（ａ）本発明の実施例１の頭髪用鋏の作用を説明する説明図で、柄部開閉面と刃部開閉面とパネル面の関係を示すものである。    （ｂ）本発明の実施例１の頭髪用鋏により得られる頭髪の切断面を示す説明図である。    （ｃ）本発明の実施例１の頭髪用鋏において、柄部開閉面と刃部開閉面との交差角度を変化させた構成を用いる場合に得られる頭髪の切断面を示す説明図である。    （ｄ）本発明の実施例１の頭髪用鋏において、柄部開閉面と刃部開閉面との交差角度を変化させた構成を用いる場合に得られる頭髪の切断面を示す説明図である。    （ｅ）本発明の実施例１の頭髪用鋏を用いる際の施術者の姿勢を説明する説明図である。
【図１０】（ａ）従来の頭髪用鋏を用いた際に得られる頭髪の切断面を説明する説明図である。    （ｂ）従来の頭髪用鋏を傾斜させて用いた際に得られる頭髪の切断面を説明する説明図である。    （ｃ）図１０ａに示す切断面を有する頭髪の集合体によって得られる髪型の典型的な例を説明する説明図である。    （ｄ）図１０ｂに示す切断面を有する頭髪の集合体、あるいは、図９ｂ〜図９ｄに示す切断面を有する頭髪の集合体によって得られる髪型の典型的な例を説明する説明図である。
【図１１】（ａ）従来の頭髪用鋏の１例の閉じた状態の正面図である。    （ｂ）従来の頭髪用鋏の１例の開いた状態の外観斜視図である。
【図１２】（ａ）従来の頭髪用鋏の１例の閉じた状態の平面図である。    （ｂ）従来の頭髪用鋏の１例の閉じた状態の左側面図である。    （ｃ）図１２ｂの拡大図である。
【図１３】（ａ）従来の頭髪用鋏の１例の作用を説明する説明図である。    （ｂ）図１３ａの要部の拡大図である。    （ｃ）図１３ｂから施術者の両手を除いて従来の頭髪用鋏の１例の開閉面とパネル面の関係を説明する説明図である。
【図１４】（ａ）従来の頭髪用鋏の１例の開閉面とパネル面の関係を説明する説明図である。    （ｂ）従来の頭髪用鋏の１例を図１３ａに示す使用状態にて使用した際に得られる頭髪の切断面の状態を説明する説明図である。    （ｃ）従来の頭髪用鋏の１例を図１３ａに示す使用状態にて使用した際の施術者の姿勢を説明する説明図である。
【図１５】（ａ）従来の頭髪用鋏の１例の作用を説明する説明図である。    （ｂ）図１５ａの要部の拡大図である。    （ｃ）図１５ｂから施術者の両手を除いて従来の頭髪用鋏の１例の開閉面とパネル面の関係を説明する説明図である。
【図１６】（ａ）従来の頭髪用鋏の１例の開閉面とパネル面の関係を説明する説明図である。    （ｂ）従来の頭髪用鋏の１例を図１５ａに示す使用状態にて使用した際に得られる頭髪の切断面の状態を説明する説明図である。    （ｃ）従来の頭髪用鋏の１例を図１５ａに示す使用状態にて使用した際に得られる頭髪の切断面の状態を説明する説明図である。    （ｄ）従来の頭髪用鋏の１例を図１５ａに示す使用状態にて使用した際の施術者の姿勢を説明する説明図である。
【図１７】（ａ）従来の頭髪用鋏の１例の作用を説明する説明図である。    （ｂ）図１７ａの要部の拡大図である。    （ｃ）図１７ｂから施術者の両手を除いて従来の頭髪用鋏の１例の開閉面とパネル面の関係を説明する説明図である。
【図１８】（ａ）従来の頭髪用鋏の１例の開閉面とパネル面の関係を説明する説明図である。    （ｂ）従来の頭髪用鋏の１例を図１６ａに示す使用状態にて使用した際に得られる頭髪の切断面の状態を説明する説明図である。    （ｃ）従来の頭髪用鋏の１例を図１６ａに示す使用状態にて使用した際に得られる頭髪の切断面の状態を説明する説明図である。    （ｄ）従来の頭髪用鋏の１例を図１６ａに示す使用状態にて使用した際の施術者の姿勢を説明する説明図である。
【符号の説明】
【００６９】
１      柄部
１１    柄
１２    柄
２      刃部
２１    刃
２２    刃
３      枢軸
Ａ      弾性体
ＡＣ    施術者
Ｂ１    刃先
Ｂ２    刃先
Ｄ１    凹部
Ｄ２    凹部
ＥＬ    肘
Ｆ      指掛け
ＦＰ    前部パーツ
ＦＲ    方向
ＦＴ    指先
Ｈ      頭髪
Ｈ１    延長方向
ＨＳ１  髪型
ＨＳ２  髪型
Ｌ      ライン
ＬＦ    方向
ＯＢ    物体
Ｐ      パネル
Ｐ１    柄部開閉面
Ｐ２    刃部開閉面
Ｐ３    パネル面
ＰＡ    被術者
Ｒ１    リング
Ｒ２    リング
ＲＰ    後部パーツ
Ｓ      頭髪用鋏
Ｓ１    柄部
Ｓ１１  柄
Ｓ１２  柄
Ｓ２    刃部
Ｓ２１  刃
Ｓ２２  刃
Ｓ３    枢軸
Ｓ５  頭髪用鋏
Ｓ４５  頭髪用鋏
ＳＡ    切断面
ＳＣ    頭髪用鋏
ＳＨ    肩
ＳＸ    切断線
Ｔ１    凸部
Ｔ２    凸部
ＵＦ    方向
ＷＲ    手首
Ｘ１    方向
Ｘ２    方向
ａ      弾性体
ｂ１    刃先
ｂ２    刃先
ｄ１    凹部
ｄ２    凹部
ｆ      指掛け
ｆｐ    前部パーツ
ｈ      頭髪
ｈ１    延長方向
ｐ１    柄部開閉面
ｐ２    刃部開閉面
ｐ３    パネル面
ｐｘ    開閉面
ｒ１    リング
ｒ２    リング
ｒｐ    後部パーツ
ｓａ    切断面
ｓｂ    切断面
ｓｘ    切断線
ｔ１    凸部
ｔ２    凸部
ｘ１    方向
ｘ２    方向
α      角度
β      角度
β１    角度
β２    角度
γ      角度
δ      角度
【図１】
2007236856.tif 000003
【図２】
2007236856.tif 000004
【図３】
2007236856.tif 000005
【図４】
2007236856.tif 000006
【図５】
2007236856.tif 000007
【図６】
2007236856.tif 000008
【図７】
2007236856.tif 000009
【図８】
2007236856.tif 000010
【図９】
2007236856.tif 000011
【図１０】
2007236856.tif 000012
【図１１】
2007236856.tif 000013
【図１２】
2007236856.tif 000014
【図１３】
2007236856.tif 000015
【図１４】
2007236856.tif 000016
【図１５】
2007236856.tif 000017
【図１６】
2007236856.tif 000018
【図１７】
2007236856.tif 000019
【図１８】
2007236856.tif 000020
【手続補正書】
【提出日】平成18年3月14日(2006.3.14)
【手続補正１】
【補正対象書類名】特許請求の範囲
【補正対象項目名】全文
【補正方法】変更
【補正の内容】
【特許請求の範囲】
【請求項１】
頭髪用鋏の、手に把持する部分を柄部とし、刃を有し頭髪を切断する部分を刃部とし、柄部を構成する２本の柄の開閉動作が行われる平面を柄部開閉面とし、刃部を構成する２本の刃の開閉動作が行われる平面を刃部開閉面とした場合に、柄部開閉面と刃部開閉面との交差角度が非直角となるように柄部と刃部が捩れた状態にて構成されていることを特徴とする頭髪用鋏。
【請求項２】
頭髪用鋏の、手に把持する部分を柄部とし、刃を有し頭髪を切断する部分を刃部とし、柄部を構成する２本の柄の開閉動作が行われる平面を柄部開閉面とし、刃部を構成する２本の刃の開閉動作が行われる平面を刃部開閉面とした場合に、柄部開閉面と刃部開閉面との交差角度のうち狭い方の交差角度が、２°〜１５°未満の範囲内となるように柄部と刃部が捩れた状態にて構成されていることを特徴とする頭髪用鋏。
【請求項３】
頭髪用鋏の、手に把持する部分を柄部とし、刃を有し頭髪を切断する部分を刃部とし、柄部を構成する２本の柄の開閉動作が行われる平面を柄部開閉面とし、刃部を構成する２本の刃の開閉動作が行われる平面を刃部開閉面とした場合に、柄部開閉面と刃部開閉面との交差角度のうち狭い方の交差角度が、１５°以上〜３０°未満の範囲内となるように柄部と刃部が捩れた状態にて構成されていることを特徴とする頭髪用鋏。
【請求項４】
頭髪用鋏の、手に把持する部分を柄部とし、刃を有し頭髪を切断する部分を刃部とし、柄部を構成する２本の柄の開閉動作が行われる平面を柄部開閉面とし、刃部を構成する２本の刃の開閉動作が行われる平面を刃部開閉面とした場合に、柄部開閉面と刃部開閉面との交差角度のうち狭い方の交差角度が、３０°以上〜５０°の範囲内となるように柄部と刃部が捩れた状態にて構成されていることを特徴とする頭髪用鋏。
【手続補正３】
【補正対象書類名】明細書
【補正対象項目名】０００１
【補正方法】変更
【補正の内容】
【０００１】
本発明は、頭髪用鋏に関するものであり、さらに詳しくは、頭髪用鋏の、手に把持する部分を柄部とし、刃を有し頭髪を切断する部分を刃部とし、柄部を構成する２本の柄の開閉動作が行われる平面を柄部開閉面とし、刃部を構成する２本の刃の開閉動作が行われる平面を刃部開閉面とした場合に、柄部開閉面と刃部開閉面との交差角度が非直角となるように柄部と刃部が捩れた状態にて構成されていることを特徴とする頭髪用鋏に関するものである。
【手続補正４】
【補正対象書類名】明細書
【補正対象項目名】０００２
【補正方法】変更
【補正の内容】
【０００２】
さらには柄部開閉面と刃部開閉面との交差角度のうち狭い方の交差角度が、２°〜１５°未満の範囲内となるように柄部と刃部が捩れた状態にて構成されていることを特徴とする頭髪用鋏に関するものであり、さらには、柄部開閉面と刃部開閉面との交差角度のうち狭い方の交差角度が、１５°以上〜３０°未満の範囲内となるように柄部と刃部が捩れた状態にて構成されていることを特徴とする頭髪用鋏に関するものであり、さらには、柄部開閉面と刃部開閉面との交差角度のうち狭い方の交差角度が、３０°以上〜５０°の範囲内となるように柄部と刃部が捩れた状態にて構成されていることを特徴とする頭髪用鋏に関するものである。
【手続補正５】
【補正対象書類名】明細書
【補正対象項目名】０００３
【補正方法】変更
【補正の内容】
【０００３】
従来の頭髪用鋏は、例えば図１１ａ〜図１２ｃに示すようなものである。従来の頭髪用鋏ＳＣはステンレス製で、手に把持する柄部Ｓ１、刃を有し頭髪を切断する刃部Ｓ２、そして枢軸Ｓ３から構成されており、紙切用等に用いる所謂「洋鋏」の構成と基本的に同一の構成である。ただ、プロフェッショナルの理美容師が用いる頭髪用鋏は、刃先の切れ味が紙切用等に用いる鋏に比べてはるかに良好であり、また柄部Ｓ１が、被術者の頭髪を切断する際に、施術者の指を掛けやすいように独特の形状に構成されている点に特色がある。また、ここに示す頭髪用鋏ＳＣは右利き用であって、左利き用の頭髪用鋏（図示せず）は、すべての構成が頭髪用鋏ＳＣと左右対称となる。
【手続補正６】
【補正対象書類名】明細書
【補正対象項目名】０００４
【補正方法】変更
【補正の内容】
【０００４】
なお、この明細書にては、頭髪用鋏を使用する者を施術者、頭髪用鋏によって頭髪の切断を受ける者を被術者と呼称する。理美容術においては、施術者と被術者は別人の場合が圧倒的に多いが、同一人物であっても無論差し支えはない。また、図１１ａを正面図とし、図１２ａを平面図、図１２ｂを左側面図とする。このようにする理由は、施術者が頭髪用鋏ＳＣを用いる際には、施術者の目から見て頭髪用鋏ＳＣが図１１ａに示す状態が略正面になるように使用されるのが通常の使用状態だからである。
【手続補正７】
【補正対象書類名】明細書
【補正対象項目名】０００７
【補正方法】変更
【補正の内容】
【０００７】
従来の頭髪用鋏ＳＣは凡そ上記のような構成であるが、次に、頭髪用鋏ＳＣの開閉作用を見ると、次のとおりである。頭髪用鋏ＳＣは、図１１ｂに示すように、枢軸Ｓ３を中心として、柄部Ｓ１と刃部Ｓ２が同期して開閉作用を行う。すなわち、柄部Ｓ１を開けば刃部Ｓ２が開き、柄部Ｓ１を閉じれば刃部Ｓ２も閉じる。この点は、通常の洋鋏（図示せず）と全く同様である。図１１ｂにては、柄部Ｓ１の開閉運動の方向をｘ１にて、刃部Ｓ２の開閉運動の方向をｘ２にて、夫々示している。
【手続補正８】
【補正対象書類名】明細書
【補正対象項目名】０００８
【補正方法】変更
【補正の内容】
【０００８】
今、柄部Ｓ１の開閉運動の方向ｘ１が属する平面を柄部開閉面ｐ１、刃部Ｓ２の開閉運動の方向ｘ２が属する平面を刃部開閉面ｐ２とすると、図１１ｂ、図１２ａ、図１２ｂ、図１２ｃに示すように、柄部開閉面ｐ１と刃部開閉面ｐ２は重なる。すなわち、柄部Ｓ１と刃部Ｓ２は同一平面上にて開閉運動を行う。この点は、通常の洋鋏（図示せず）の構成と全く同一である。すなわち、平面図（図１２ａ参照）で見ると、前部パーツｆｐは、指掛けｆがやや前方に反っている以外は直線状に形成されており、後部パーツｒｐも直線状に形成されていて、どちらも直線状の前部パーツｆｐと後部パーツｒｐが枢軸Ｓ３で枢設されて頭髪用鋏ＳＣが構成されている結果として、必然的に柄部Ｓ１と刃部Ｓ２は同一平面上にて開閉運動を行う構成となる。
【手続補正９】
【補正対象書類名】明細書
【補正対象項目名】００３８
【補正方法】変更
【補正の内容】
【００３８】
本発明は、上記課題を解決するためになされたものであり、以下に示す解決手段を提供するものである。
＜解決手段１＞
頭髪用鋏の、手に把持する部分を柄部とし、刃を有し頭髪を切断する部分を刃部とし、柄部を構成する２本の柄の開閉動作が行われる平面を柄部開閉面とし、刃部を構成する２本の刃の開閉動作が行われる平面を刃部開閉面とした場合に、柄部開閉面と刃部開閉面との交差角度が非直角となるように柄部と刃部が捩れた状態にて構成されていることを特徴とする頭髪用鋏。
＜解決手段２＞
頭髪用鋏の、手に把持する部分を柄部とし、刃を有し頭髪を切断する部分を刃部とし、柄部を構成する２本の柄の開閉動作が行われる平面を柄部開閉面とし、刃部を構成する２本の刃の開閉動作が行われる平面を刃部開閉面とした場合に、柄部開閉面と刃部開閉面との交差角度のうち狭い方の交差角度が、２°〜１５°未満の範囲内となるように柄部と刃部が捩れた状態にて構成されていることを特徴とする頭髪用鋏。
＜解決手段３＞
頭髪用鋏の、手に把持する部分を柄部とし、刃を有し頭髪を切断する部分を刃部とし、柄部を構成する２本の柄の開閉動作が行われる平面を柄部開閉面とし、刃部を構成する２本の刃の開閉動作が行われる平面を刃部開閉面とした場合に、柄部開閉面と刃部開閉面との交差角度のうち狭い方の交差角度が、１５°以上〜３０°未満の範囲内となるように柄部と刃部が捩れた状態にて構成されていることを特徴とする頭髪用鋏。
＜解決手段４＞
頭髪用鋏の、手に把持する部分を柄部とし、刃を有し頭髪を切断する部分を刃部とし、柄部を構成する２本の柄の開閉動作が行われる平面を柄部開閉面とし、刃部を構成する２本の刃の開閉動作が行われる平面を刃部開閉面とした場合に、柄部開閉面と刃部開閉面との交差角度のうち狭い方の交差角度が、３０°以上〜５０°の範囲内となるように柄部と刃部が捩れた状態にて構成されていることを特徴とする頭髪用鋏。
【手続補正１０】
【補正対象書類名】明細書
【補正対象項目名】００５２
【補正方法】変更
【補正の内容】
【００５２】
実施例１の頭髪用鋏Ｓはステンレス製で、手に把持する柄部１、刃を有し頭髪を切断する刃部２、そして枢軸３から構成されており、柄部１の構成は、基本的に従来の頭髪用鋏ＳＣ（図１１ａ参照）の柄部Ｓ１の構成と同様であり、刃部２の構成も従来の頭髪用鋏ＳＣの刃部Ｓ２の構成と同様である。また、刃先の切れ味が紙切用等に用いる鋏に比べてはるかに良好である点も従来の頭髪用鋏ＳＣと同様である。なお、ここに示す頭髪用鋏Ｓは右利き用であって、左利き用の頭髪用鋏（図示せず）は、すべての構成が頭髪用鋏Ｓと左右対称となる。また、枢軸３の構成は、従来の頭髪用鋏ＳＣの枢軸Ｓ３（図１１ａ参照）の構成と全く同一であり、公知技術であるので、詳細な説明は省略する。
【手続補正書】
【提出日】平成19年6月13日(2007.6.13)
【手続補正１】
【補正対象書類名】特許請求の範囲
【補正対象項目名】全文
【補正方法】変更
【補正の内容】
【特許請求の範囲】
【請求項１】
頭髪用挟の、手に把持する部分を柄部とし、刃を有し頭髪を切断する部分を刃部とし、柄部を構成する２本の柄の開閉動作が行われる平面を柄部開閉面とし、刃部を構成する２本の刃の開閉動作が行われる平面を刃部開閉面とした場合に、柄部開閉面と刃部開閉面との交差角度が非直角となるように柄部と刃部が枢軸よりやや柄部寄りの位置にて捩れた状態にて構成され、かつ、緩慢な傾斜状の柄端部薬指側リングに対して捩れ柄の端部が下方へ急激な傾斜状態となした捩れ頸形状の親指側リングに構成されていることを特徴とする頭髪用挟。
【請求項２】
頭髪用挟の、手に把持する部分を柄部とし、刃を有し頭髪を切断する部分を刃部とし、柄部を構成する２本の柄の開閉動作が行われる平面を柄部開閉面とし、刃部を構成する２本の刃の開閉動作が行われる平面を刃部開閉面とした場合に、柄部開閉面と刃部開閉面との交差角度のうち狭い方の交差角度が、２°〜１５°未満の範囲内となるように柄部と刃部が枢軸よりやや柄部寄りの位置にて捩れた状態にて構成され、かつ、緩慢な傾斜状の柄端部薬指側リングに対して捩れ柄の端部が下方へ急激な傾斜状態となした捩れ頸形状の親指側リングに構成されていることを特徴とする頭髪用挟。
【請求項３】
頭髪用挟の、手に把持する部分を柄部とし、刃を有し頭髪を切断する部分を刃部とし、柄部を構成する２本の柄の開閉動作が行われる平面を柄部開閉面とし、刃部を構成する２本の刃の開閉動作が行われる平面を刃部開閉面とした場合に、柄部開閉面と刃部開閉面との交差角度のうち狭い方の交差角度が、１５°以上〜３０°未満の範囲内となるように柄部と刃部が枢軸よりやや柄部寄りの位置にて捩れた状態にて構成され、かつ、緩慢な傾斜状の柄端部薬指側リングに対して捩れ柄の端部が下方へ急激な傾斜状態となした捩れ頸形状の親指側リングに構成されていることを特徴とする頭髪用挟。
【請求項４】
頭髪用挟の、手に把持する部分を柄部とし、刃を有し頭髪を切断する部分を刃部とし、柄部を構成する２本の柄の開閉動作が行われる平面を柄部開閉面とし、刃部を構成する２本の刃の開閉動作が行われる平面を刃部開閉面とした場合に、柄部開閉面と刃部開閉面との交差角度のうち狭い方の交差角度が、３０°以上〜５０°の範囲内となるように柄部と刃部が枢軸よりやや柄部寄りの位置にて捩れた状態にて構成され、かつ、緩慢な傾斜状の柄端部薬指側リングに対して捩れ柄の端部が下方へ急激な傾斜状態となした捩れ頸形状の親指側リングに構成されていることを特徴とする頭髪用挟。
【手続補正２】
【補正対象書類名】明細書
【補正対象項目名】０００１
【補正方法】変更
【補正の内容】
【０００１】
本発明は、頭髪用挟に関するものであり、さらに詳しくは、頭髪用挟の、手に把持する部分を柄部とし、刃を有し頭髪を切断する部分を刃部とし、柄部を構成する２本の柄の開閉動作が行われる平面を柄部開閉面とし、刃部を構成する２本の刃の開閉動作が行われる平面を刃部開閉面とした場合に、柄部開閉面と刃部開閉面との交差角度が非直角となるように柄部と刃部が枢軸よりやや柄部寄りの位置にて捩れた状態にて構成され、かつ、緩慢な傾斜状の柄端部薬指側リングに対して捩れ柄の端部が下方へ急激な傾斜状態となした捩れ頸形状の親指側リングに構成されていることを特徴とする頭髪用挟に関するものである。
【手続補正３】
【補正対象書類名】明細書
【補正対象項目名】０００２
【補正方法】変更
【補正の内容】
【０００２】
さらには柄部開閉面と刃部開閉面との交差角度のうち狭い方の交差角度が、２°〜１５°未満の範囲内となるように柄部と刃部が枢軸よりやや柄部寄りの位置にて捩れた状態にて構成されていることを特徴とする頭髪用挟に関するものであり、さらには、柄部開閉面と刃部開閉面との交差角度のうち狭い方の交差角度が、１５°以上〜３０°未満の範囲内となるように柄部と刃部が枢軸よりやや柄部寄りの位置にて捩れた状態にて構成されていることを特徴とする頭髪用挟に関するものであり、さらには、柄部開閉面と刃部開閉面との交差角度のうち狭い方の交差角度が、３０°以上〜５０°の範囲内となるように柄部と刃部が枢軸よりやや柄部寄りの位置にて捩れた状態にて構成され、かつ、緩慢な傾斜状の柄端部薬指側リングに対して捩れ柄の端部が下方へ急激な傾斜状態となした捩れ頸形状の親指側リングに構成されていることを特徴とする頭髪用挟に関するものである。
【手続補正４】
【補正対象書類名】明細書
【補正対象項目名】００３８
【補正方法】変更
【補正の内容】
【００３８】
本発明は、上記課題を解決するためになされたものであり、以下に示す解決手段を提供するものである。
＜解決手段１＞
頭髪用挟の、手に把持する部分を柄部とし、刃を有し頭髪を切断する部分を刃部とし、柄部を構成する２本の柄の開閉動作が行われる平面を柄部開閉面とし、刃部を構成する２本の刃の開閉動作が行われる平面を刃部開閉面とした場合に、柄部開閉面と刃部開閉面との
交差角度が非直角となるように柄部と刃部が枢軸よりやや柄部寄りの位置にて捩れた状態にて構成され、かつ、緩慢な傾斜状の柄端部薬指側リングに対して捩れ柄の端部が下方へ急激な傾斜状態となした捩れ頸形状の親指側リングに構成されていることを特徴とする頭髪用挟。
＜解決手段２＞
頭髪用挟の、手に把持する部分を柄部とし、刃を有し頭髪を切断する部分を刃部とし、柄部を構成する２本の柄の開閉動作が行われる平面を柄部開閉面とし、刃部を構成する２本の刃の開閉動作が行われる平面を刃部開閉面とした場合に、柄部開閉面と刃部開閉面との交差角度のうち狭い方の交差角度が、２°〜１５°未満の範囲内となるように柄部と刃部が枢軸よりやや柄部寄りの位置にて捩れ、かつ、緩慢な傾斜状の柄端部薬指側リングに対して捩れ柄の端部が下方へ急激な傾斜状態となした捩れ頸形状の親指側リングに構成された状態にて構成されていることを特徴とする頭髪用挟。
＜解決手段３＞
頭髪用挟の、手に把持する部分を柄部とし、刃を有し頭髪を切断する部分を刃部とし、柄部を構成する２本の柄の開閉動作が行われる平面を柄部開閉面とし、刃部を構成する２本の刃の開閉動作が行われる平面を刃部開閉面とした場合に、柄部開閉面と刃部開閉面との交差角度のうち狭い方の交差角度が、１５°以上〜３０°未満の範囲内となるように柄部と刃部が枢軸よりやや柄部寄りの位置にて捩れ、かつ、緩慢な傾斜状の柄端部の薬指側リングに対して捩れ柄の端部が下方へ急激な傾斜状態となした捩れ頸形状の親指側リングに構成された状態にて構成されていることを特徴とする頭髪用挟。
＜解決手段４＞
頭髪用挟の、手に把持する部分を柄部とし、刃を有し頭髪を切断する部分を刃部とし、柄部を構成する２本の柄の開閉動作が行われる平面を柄部開閉面とし、刃部を構成する２本の刃の開閉動作が行われる平面を刃部開閉面とした場合に、柄部開閉面と刃部開閉面との交差角度のうち狭い方の交差角度が、３０°以上〜５０°の範囲内となるように柄部と刃部が枢軸よりやや柄部寄りの位置にて捩れた状態にて構成され、かつ、緩慢な傾斜状の柄端部薬指側リングに対して捩れ柄の端部が下方へ急激な傾斜状態となした捩れ頸形状の親指側リングに構成されていることを特徴とする頭髪用挟。
【手続補正５】
【補正対象書類名】明細書
【補正対象項目名】００５６
【補正方法】変更
【補正の内容】
【００５６】
柄部１と刃部２の捻れについては、図１〜図３ｂの外観斜視図や正面図や背面図ではやや分かりにくいが、図４ａの平面図、図４ｂの底面図、図４ｃの左側面図、そして図５ａの拡大左側面図において明確に示されている。特に、柄部１と刃部２（柄部開閉面Ｐ１と刃部開閉面Ｐ２）が角度αをもって捻られた状態に構成されている点は図５ａに、また、柄部１と刃部２が、枢軸３よりやや柄部１寄りの位置にて捻られている点は図４ａ、図４ｂに明確に示されている。この際緩慢な傾斜状の柄１１端部の薬指側リングＲ１に対して、捩れ柄１２の端部のリングＲ２は下方へ急激な傾斜状態となった捩れ頸形状の親指側リングに構成される。なお、図５ａの頭髪用鋏Ｓは、前述のようにα＝３８°であるが、αを５°とした例（頭髪用鋏Ｓ５）を図５ｂに、αを４５°とした例（頭髪用鋏Ｓ４５）を図５ｃに、夫々掲げておく。また、図４ａ、図４ｂにて、正面及び背面から見た状態で、柄部開閉面Ｐ１と刃部開閉面Ｐ２に僅かの交差角度δが付されていることが示されているが、これは、後述の頭髪のパネルＰに頭髪用鋏Ｓを当ててパネルＰを切断する際に、この僅かの交差角度δが付してあると、施術者の使い勝手が向上するという理由（経験則）によるものである。なお、実施例１の頭髪用鋏Ｓにては、δ＝２°である。
【手続補正６】
【補正対象書類名】明細書
【補正対象項目名】００６６
【補正方法】変更
【補正の内容】
【００６６】
すなわち、頭髪用鋏Ｓをごく自然なポジションで把持した際に得られる図９ｂに示す頭髪Ｈを中心として、施術者ＡＣの適宜な操作によって、角度γが様々に変化する頭髪Ｈの集合体が得られるものである。そして、この際に、施術者ＡＣが頭髪用鋏Ｓを把持する基本的なポジションはあくまで図６〜図９ａに示すとおりのもの、すなわち、柄部開閉面Ｐ１とパネル面Ｐ３の交差角度β１が直角であるので、施術者ＡＣにおいては頭髪用鋏Ｓを把持する右手、特に手首ＷＲの部分に無理な負担が長時間かかり続けるということがなく、最小の疲労感にて切断作業を続行できるものである。
そして、さらに本発明は柄部開閉面と刃部開閉面との交差角度が非直角となるように柄部と刃部が枢軸よりやや柄部よりの位置にて捩れた状態に構成され、かつ緩慢な傾斜状の柄端部薬指側リングに対して捩れ柄の端部が下方へ急激な傾斜状態となした捩れ頸形状の親指側リングに構成されているから、本発明特有の効果である施術者の姿勢が肩から肘、手首そして指先にかけて流れるように優美な曲線を描くラインとなり、自然体で長時間続けても最も疲れの少ない姿勢で頭髪の切断作業が行える効果がある。